(57)【特許請求の範囲】
【請求項１】
シース内に軸線方向に進退自在に操作ワイヤを挿通配置し、高周波電流を通電可能なスネアループをそのループの先端で略Ｕ字状に曲げ戻した一本の弾性ワイヤにより形成して上記操作ワイヤの先端に連結し、上記操作ワイヤを軸線方向に進退操作することにより上記スネアループが上記可撓性シースの先端内に出入りして、上記スネアループが上記可撓性シース外では自己の弾性によって膨らみ、上記可撓性シース内に引き込まれることによって窄まるようにした内視鏡用高周波スネアにおいて、
上記スネアループは、上記シース外において略卵形をなす形状に形成され、且つ、
上記スネアループの先端付近以外の部分が上記可撓性シース内に引き込まれて、上記スネアループの先端部分が外方から上記シースの先端に接近した状態では、上記スネアループの先端が上記シースの先端開口の正面より外側に偏位し、且つ、その状態から上記操作ワイヤが基端側から牽引されれば上記スネアループが完全に上記シース内に引き込まれる程度に、略卵形をなす上記スネアループの先端と基端との間の左右両側の弾性ワイヤの長さを相違させて形成されていることを特徴とする内視鏡用高周波スネア。
【発明の詳細な説明】
【０００１】
【発明の属する技術分野】
この発明は、内視鏡の処置具挿通チャンネルに通されてポリープを切除するために用いられる内視鏡用高周波スネアに関する。
【０００２】
【従来の技術】
内視鏡用高周波スネアは一般に、可撓性シース内に軸線方向に進退自在に操作ワイヤを挿通配置して、その操作ワイヤの先端に弾性ワイヤからなるスネアループを連結し、操作ワイヤを軸線方向に進退操作することによりスネアループが可撓性シースの先端内に出入りして、スネアループが可撓性シース外では自己の弾性によって膨らみ、可撓性シース内に引き込まれることによって窄まるようになっている。
【０００３】
そして使用時には、スネアループでポリープを囲んだ状態にしてから操作ワイヤを牽引することにより、図５に示されるようにスネアループ３でポリープ１００を緊縛し、スネアループ３に高周波電流を通電してポリープ１００を焼灼切断するようになっている。
【０００４】
【発明が解決しようとする課題】
しかし、スネアループ３がそのループの先端で一本の弾性ワイヤを略Ｕ字状に曲げ戻して形成されたものでは、例えば図６に示されるように、スネアループ３でポリープ１００を緊縛したとき、ポリープ１００内を通っている血管１０１とスネアループ３の先端部分３ａとの間が遠く、血管１０１が焼灼切断されるのは最後の一瞬の間になってしまうので、血管１０１の焼灼が不十分になって術後に出血を起こす場合があった。
【０００５】
そこで本発明は、ポリープ内を通っている血管を確実に焼灼して術後に出血しないようにポリープを切断することができる内視鏡用高周波スネアを提供することを目的とする。
【０００６】
【課題を解決するための手段】
上記の目的を達成するため、本発明の内視鏡用高周波スネアは、シース内に軸線方向に進退自在に操作ワイヤを挿通配置し、高周波電流を通電可能なスネアループをそのループの先端で略Ｕ字状に曲げ戻した一本の弾性ワイヤにより形成して操作ワイヤの先端に連結し、操作ワイヤを軸線方向に進退操作することによりスネアループが可撓性シースの先端内に出入りして、スネアループが可撓性シース外では自己の弾性によって膨らみ、可撓性シース内に引き込まれることによって窄まるようにした内視鏡用高周波スネアにおいて、スネアループの先端部分が、外方からシースの先端に接近した位置ではシースの先端の正面から偏位し、且つ操作ワイヤを牽引することによりシース内に引き込まれる程度に、スネアループの先端と基端との間の左右両側の弾性ワイヤの長さを相違させたものである。
【０００７】
【発明の実施の形態】
図面を参照して本発明の実施の形態を説明する。
図１は、本発明の実施の形態の内視鏡用高周波スネアを示しており、１は、例えば電気絶縁性の四フッ化エチレン樹脂製チューブ等からなる可撓性シースであり、図示されていない内視鏡の処置具挿通チャンネルに挿脱される。
【０００８】
可撓性シース１内には、可撓性のある導電性金属製の操作ワイヤ２が全長にわたって軸線方向に進退自在に挿通されており、図示されていない操作部によって基端側から任意に進退操作される。
【０００９】
操作ワイヤ２の先端部分には、一本の導電性の弾性ワイヤを曲げて形成されたスネアループ３が接続パイプ４を介して連結されており、操作ワイヤ２を介してスネアループ３に高周波電流を通電することができる。ただし、スネアループ３を延長して操作ワイヤ２を形成してもよい。
【００１０】
スネアループ３を形成する弾性ワイヤは、例えばステンレス鋼線の撚り線によって形成されており、外力が加えられていない状態では、図１に示されるように数センチメートルの広がりの略卵形のループを形成する。
【００１１】
そして、スネアループ３は外力を加えることによって弾性変形させて窄ませることができ、操作ワイヤ２を手元側に牽引して可撓性シース１内に引き込むことによって窄まる。
【００１２】
スネアループ３はループの先端部分で一本の弾性ワイヤを略Ｕ字状に曲げ戻して形成されており、スネアループ３の先端と基端との間の左右両側の弾性ワイヤの長さが相違している。即ち、図１においてＬ＞Ｒである。
【００１３】
その結果、図２に示されるように、操作ワイヤ２が手元側に牽引されてスネアループ３の大半の部分が可撓性シース１内に引き込まれ、スネアループ３の先端部分３ａが外方から可撓性シース１の先端に接近した状態では、スネアループ３の長い方の弾性ワイヤが撓んで、スネアループ３の先端部分３ａが可撓性シース１の先端の正面から偏位した状態になる。
【００１４】
ただし、スネアループ３を形成する弾性ワイヤの左右両側の長さＬ，Ｒの相違が大きすぎると、図２に２点鎖線で示されるように、長い方の弾性ワイヤが大きく弛んで可撓性シース１の入口に引っ掛かり、スネアループ３を可撓性シース１内に完全に引き込むことができなくなる。
【００１５】
そこで、スネアループ３を形成する弾性ワイヤの左右両側の長さＬ，Ｒの差は、操作ワイヤ２が手元側に牽引されたときに、図３に示されるように、スネアループ３が先端部分３ａまで完全に可撓性シース１内に引き込まれる範囲内に設定されている。
【００１６】
このように構成された実施の形態の内視鏡用高周波スネアでポリープ１００を切断する際には、スネアループ３でポリープ１００を囲んだ状態にしてから操作ワイヤ２を牽引することにより、図５に示されるようにスネアループ３でポリープ１００を緊縛する。
【００１７】
すると、図４に示されるように、スネアループ３の先端部分３ａが可撓性シース１の先端の正面から偏位していることから、ポリープ１００の茎部分の中心付近を通っている血管１０１に対してスネアループ３の長い方の弾性ワイヤが早めに接触するので、血管１０１が出血を起こさない程度に焼灼されてからポリープ１００が完全に切断される。
【００１９】
【発明の効果】
本発明によれば、略Ｕ字状に曲げ戻されたスネアループの先端部分が、外方からシースの先端に接近した位置ではシースの先端の正面から偏位するように、スネアループの先端と基端との間の左右両側の弾性ワイヤの長さを相違させたことにより、ポリープ内を通っている血管に早めにスネアループを接触させて血管を確実に焼灼し、術後に出血が起きないようにポリープを安全に切断することができる。
【図面の簡単な説明】
【図１】本発明の実施の形態の内視鏡用高周波スネアの先端部分の平面断面図である。
【図２】本発明の実施の形態の内視鏡用高周波スネアのスネアループの大半の部分が可撓性シース内に引き込まれた状態の平面断面図である。
【図３】本発明の実施の形態の内視鏡用高周波スネアのスネアループが完全に可撓性シース内に引き込まれた状態の平面断面図である。
【図４】本発明の実施の形態の内視鏡用高周波スネアによりポリープが切断される状態の平面断面図である。
【図５】内視鏡用高周波スネアによりポリープが切断される状態の斜視図である。
【図６】従来の内視鏡用高周波スネアによりポリープが切断される状態の平面断面図である。
【符号の説明】
１  可撓性シース
２  操作ワイヤ
３  スネアループ
３ａ  先端部分
１００  ポリープ
１０１  血管
【図１】
0004761597.tif 000002
【図２】
0004761597.tif 000003
【図３】
0004761597.tif 000004
【図４】
0004761597.tif 000005
【図５】
0004761597.tif 000006
【図６】
0004761597.tif 000007